(57)【特許請求の範囲】
【請求項１】
軸組みした柱、梁等の構造材のうち、互いに間隔をおいて並行する構造材間にパネルを配置し、それら構造材とパネルとを相互に接合する方法であって、前記パネルの大きさを、前記構造材間の間隔よりも小さく設定しておき、それら構造材とパネルとを、それらの間に差し渡して固定する繋ぎ材を用いて接合するに際し、
前記構造材および壁パネルの互いに対向する両側面に、それら両側面に沿って上下に延びる角材をそれぞれ固定しておき、それら角材どうしを前記繋ぎ材で固定することによって、構造材と壁パネルとを接合することを特徴とする、軸組み用構造材とパネルとの接合方法。
【請求項２】
前記構造材が、互いに間隔をおいて並行する柱であり、前記パネルが、前記並行する柱間に立てた矩形状の壁パネルである、請求項１の軸組み用構造材とパネルとの接合方法。
【請求項３】
前記壁パネルの上に、前記柱間に架設された梁があり、その梁の下面と前記壁パネルの上面に、それら梁の長さ方向および壁パネルの幅方向に沿って延びる角材をそれぞれ固定し、それら角材どうしを前記繋ぎ材で固定することによって、梁と壁パネルとを接合する、請求項２の軸組み用構造材とパネルとの接合方法。
【請求項４】
前記繋ぎ材が、前記角材どうしをその側面から挟み付けるように配置する少なくとも２枚の板材からなり、それら各板材を前記各角材にそれぞれ固定した、請求項１あるいは３の軸組み用構造材とパネルとの接合方法。
【請求項５】
前記角材の厚さを、前記壁パネルの厚さよりも小さく設定し、前記各板材の表面を前記壁パネルの表面とほぼ面一にした、請求項４の建物の軸組み用構造材とパネルとの接合方法。
【請求項６】
前記柱に固定した角材の側面と柱の側面とが面一であり、その角材の側面に配置した前記板材が、前記柱の側面まで延びてその側面に固定してある、請求項４あるいは５の軸組み用構造材とパネルとの接合方法。
【請求項７】
前記梁に固定した角材の側面と梁の側面とが面一であり、その角材の側面に配置した前記板材が、前記梁の側面まで延びてその側面に固定してある、請求項４あるいは５の軸組み用構造材とパネルとの接合方法。
【請求項８】
前記構造材が、互いに間隔をおいて並行する梁であり、前記パネルが、前記並行する梁間に配置した床パネルである、請求項１の軸組み用構造材とパネルとの接合方法。
【請求項９】
前記繋ぎ材として、前記床パネルの下面を支持するように前記梁の側面に固定する受け材と、前記梁の上面から前記床パネルの上面に至る押さえ板とを用いる、請求項８の軸組み用構造材とパネルとの接合方法。
【発明の詳細な説明】
【０００１】
【発明の属する技術分野】
この発明は、木造建築の軸組みとなる柱、梁等の構造材と、それらの間に配置するパネルとを接合するための技術、特に、その接合時の作業性や施工性、並び接合精度等を考慮した技術に関するものである。
【０００２】
【背景の技術】
近年における木造建築の中でも、たとえば木質系の住宅においては、軸組みした柱、梁等の構造材に対し、壁パネルや床パネル等を接合して建築する工法も開発されている。この工法は、組み立て式のパネルを用いて建築するパネル工法のもつ利点と、在来工法である軸組み構造のもつ利点の両方を備える点において優れた工法である。
【０００３】
すなわち、パネル工法の場合、工業化住宅として現場での施工性に優れた特徴をもち、軸組みする在来工法の場合、その柱や梁等の構造材を室内に露出させて見せることができる特徴をもつ。したがって、それら両工法のもつ特徴点を有効に発揮させることができる。
【０００４】
【発明が解決しようとする課題】
しかしながら、このような工法においては、確かに、上述のような特徴点を有効に発揮することができるものの、現場での施工性については、未だ解決すべき課題が残されている。それは、まず、軸組みした柱、梁等の構造材とパネルとの接合の問題である。たとえば、互いに並行する柱間に壁パネルを建て込んで接合するときに、その作業性が良好でないことである。なぜなら、壁パネルを柱間に建て込んで精度よく一体に接合するためには、軸組みする柱間の寸法精度、および壁パネルの寸法精度の両方を高めなければならない。しかし、実際には、柱、梁等の構造材は現場で軸組みするため、若干の寸法誤差が生じるのは否めない。そのため、柱と壁パネルとの間に隙間が生じたり、逆に、壁パネルを柱間に配置する作業が困難になったりする問題が生じていた。このような問題は、例えば梁材間に床パネルを配置して接合する場合も同様である。また、こうしたパネルと構造材との間に隙間が生じた場合、体裁が悪い上に気密性も低下する。
【０００５】
よって、この発明では、構造材に対するパネルの接合作業がきわめて良好で、しかも、軸組みやパネル製作上の通常の寸法誤差を吸収して、隙間が生じないように精度良く接合することができる技術を提供することを目的とする。
【０００６】
【課題を解決するための手段】
この発明では、軸組みした柱１０、梁２０等の構造材のうち、互いに間隔をおいて並行する構造材間に壁パネルＰ１、あるいは床パネルＰ２等のパネルを配置し、それら構造材とパネルとを相互に接合する方法に対して好適に採用する。その場合、前記壁パネルＰ１や床パネルＰ２等のパネルの大きさを、互いに並行する構造材間の間隔αよりも小さく設定しておき、それら構造材とパネルとを、それらの間に差し渡して固定する繋ぎ材３０を用いて接合する。
このような接合方法とすることによって、まず、壁パネルＰ１や床パネルＰ２等のパネルと、柱１０や梁２０等の構造材との間に隙間Ｓが形成される。したがってパネルを構造材間に配置する作業がきわめて容易になる。そして、配置したパネルを構造材に対して繋ぎ材３０により固定する方法とすることによって、軸組みやパネル製作上の通常の寸法誤差を吸収して、隙間が生じないように精度良く接合することができる。
【０００７】
こうした接合方法における構造材とパネルとの関係については、互いに間隔をおいて並行する柱１０、１０間に壁パネルＰ１を立てて、それらを相互に接合する場合に、積極的に採用することができる。その場合、前記柱１０および壁パネルＰ１の互いに対向する両側面に、それら両側面に沿って上下に延びる角材４０、５０をそれぞれ固定しておき、それら角材４０、５０どうしを前記繋ぎ材３０で接合する方法を採るのが好ましい。なぜなら、繋ぎ材３０として、前記角材４０、５０どうしをその側面から挟み付けるように配置する少なくとも２枚の板材３１、３２を用い、それら各板材３１、３２を前記各角材４０、５０にそれぞれ固定することによって接合する方法を採ることができるからである。こうすることにより、現場での接合作業がきわめて容易になる。しかも、その場合において、両角材４０、５０の厚さを、壁パネルＰ１の厚さよりも小さく設定し、各板材３１、３２の表面を前記パネルの表面とほぼ面一にする接合方法を採ることもできる。これにより、体裁がよい上に気密性の高い接合構造とすることができる。
【０００８】
ここで、並行する柱１０、１０間に立てた壁パネルＰ１の上には、それら柱１０、１０間に架設された梁２０が位置する構成となる場合も多い、そのような場合には、柱１０と壁パネルＰ１との接合方法と同様に、梁２０の下面と前記壁パネルＰ１の上面に、それら梁２０の長さ方向および壁パネルＰ１の幅方向に沿って延びる角材を４０、５０それぞれ固定し、それら角材４０、５０どうしを前記繋ぎ材３０で固定することによって、梁２０と壁パネルＰ１とを接合するようにするのが好ましい。こうすることにより、柱１０および梁２０に対して同様の接合方法とすることができる。
【０００９】
前記柱１０に対する壁パネルＰ１の接合強度をより高める意味から、前記柱１０に固定した角材４０の側面と柱１０の側面とを面一にし、その角材４０の側面に配置した前記板材３１を、前記柱１０の側面まで延びてその側面に固定する方法を採るのも好適である。勿論、梁２０に対する壁パネルＰ１の接合強度を図る場合においても、同様の方法を採用することができる。
【００１０】
一方、構造材とパネルの接合関係については、構造材が、互いに間隔をおいて並行する梁２０であり、前記パネルが、並行する梁２０間に配置した床パネルＰ２である場合にも、この発明の接合方法を適用することができる。その場合の繋ぎ材３０として、前記床パネルＰ２の下面を支持するように前記梁２０の側面に固定する受け材３３と、前記梁２０の上面から前記床パネルＰ２の上面に至る押さえ板３４とを用いる方法を採用するのが好適である。こうすることにより、受け材３３と押さえ板３４によって床パネルＰ２をその上下から挟むようにして梁２０に接合することができる。ここで、受け材３３は床パネルＰ２を配置する前に、梁２０に固定しておき、押さえ板３４は床パネルＰ２を配置した後に、その床パネルＰ２および梁２０に固定する作業手順とするのが、施工性の向上を図る上で特に好ましい。
【００１１】
【発明の実施の形態】
以下、この発明の好適な実施例を、添付の図１〜図７を参照して説明する。
これらの図に示す実施例は、この発明を、木質系住宅の軸組みとなる柱、梁等の構造材と、壁パネルや床パネル等の木質系パネルとの接合に適用した例を示すものであり、図１は柱と梁に対するパネルの接合を示す正面図、図２はその側断面図、図３は平断面図、図４は柱に対する壁パネルの接合を示す平断面図である。
【００１２】
これらの図から理解できるように、軸組みした柱１０、梁２０等の構造材のうち、互いに間隔をおいて並行する柱１０、１０間に壁パネルＰ１を配置し、それら各柱１０、１０と壁パネルＰ１とを相互に接合する。なお、壁パネルＰ１の上には梁２０が位置する構成であり、したがって、ここでは壁パネルＰ１を梁２０に対しても接合するようにしている。壁パネルＰ１は、正面から見て全体が長方形であるが、その幅寸法を、互いに並行する柱１０、１０間の間隔αよりも小さく設定し、さらに、その高さ寸法を、梁２０と床Ｆ上に設けた調整材１との間隔よりも小さく設定している。その結果、壁パネルＰ１と柱１０との間、および梁２０との間には、たとえば１ｃｍ前後の隙間Ｓが形成されるように壁パネルＰ２の大きさについて配慮している。この隙間Ｓについては、実際には図４に明示するように、角材４０、５０との間の隙間とする。
【００１３】
すなわち、柱１０および壁パネルＰ１の互いに対向する両側面には、壁パネルＰ１を建て込む前に、それら両側面に沿って上下に延びる角材４０、５０をそれぞれ固定しておく。さらに、壁パネルＰ１の上面および梁２０の下面にも同じく角材０、５０を固定しておく。そして、壁パネルＰ１を建て込んだ後に、それら角材４０、５０どうしを繋ぎ材３０でそれぞれ接合する。壁パネルＰ１側に固定する角材５０については、その壁パネルＰ１を例えば工場等で製作するときに一体に取り付けておけばよい。ここで、繋ぎ材３０としては、前記角材４０、５０どうしをその側面から挟み付けるように配置する少なくとも２枚の板材３１、３２を用い、それら各板材３１、３２を前記各角材４０、５０にそれぞれ釘打ちあるいはビス止めなどの締結手段ｋによって固定するのが特に好適である。こうすることにより、現場での接合作業がきわめて容易になる。
【００１４】
図示例においては、角材４０、５０の厚さｄは、壁パネルＰ１の厚さｔよりも、２枚の板材３１、３２の合計厚さの分だけ小さいものを用いており、これにより、各板材３１、３２の表面が前記壁パネルＰ１の表面とほぼ面一になるように配慮している。したがって、接合部の体裁がよい上に気密性の高い接合構造とすることができる。板材３１、３２のうち、外側に配置する板材３２は幅広のものをも用いてあり、その一部で柱１０の側面を覆うようにしている。したがって、柱１０の側面を覆う板材３１部分を柱１０に固定することにより、接合強度を高めることができる。なお、図４においては、柱１０の他の側面に対して、他の壁パネルＰ１を接合する例も示している。この場合には、幅広の板材３１を内側に配置して、板材３２の表面に突き当たるようにしている。こうすることで、両壁パネルＰ１、Ｐ１の内側の表面を凹凸のない奇麗な直角壁面とすることができる。
【００１５】
また、図５においては、梁２０に対する床パネルＰ２の接合形態を示している。ここに示す床パネルＰ２も、互いに並行する梁２０間（一方の梁のみ図示）の間隔よりもその長さが小さい。例えば、床パネルＰ２を梁２０間に差し渡すように配置した状態で、その両端に１ｃｍ前後の隙間Ｓ１が梁２０との間に形成される大きさである。したがって、床パネルＰ２を梁２０間にきわめて容易に配置することができる。しかし、床パネルＰ２はこのように短いので、梁２０間に差し渡せない。そこで、繋ぎ材３０を用いるわけであるが、この場合には床パネルを配置する前に、梁２０の側面に対し、床パネルＰ２の下面を支える受け材３３を固定しておく。そして、床パネルＰ２を配置したのち、その床パネルＰの上面から梁２０の上面に至る幅広の押さえ板３４を配置して、これを床パネルＰ１および梁２０に固定する。
【００１６】
なお、押さえ板３４についても、床パネルＰ２の表面と面一になるように配慮している。また、この図５においては、梁２０の他方の側面にも、他の床パネルＰ２を同様にして接合した例を示している。このような接合形態となる場合には、押さえ板３４を、各床パネルＰ２、Ｐ２の繋ぎ材として共用することができる。図６には、梁２０の一方の側面側に床パネルＰ２を接合し、さらに梁２０の下に壁パネルＰ１を接合する場合の例を示している。また、図７には、建物の各柱１０間に配置する各壁パネルＰ１と繋ぎ材３０の具体的な例を示している。この図７の平断面図から理解できるように、繋ぎ材３０を構成する各板材３１、３２の幅寸法を、柱１０の位置関係や大きさ、形状などによって相違させている。また、建物の外装材や内装材などとの関係を考慮して、柱１０の側面を覆う範囲も変化させている。しかし、基本的には、下地となる内外壁の表面に凹凸や隙間が生じないようにするのが望ましい。
【００１７】
【発明の効果】
以上のように、この発明によれば、軸組みした柱、梁等の構造材のうち、互いに間隔をおいて並行する構造材間にパネルを配置し、それら構造材とパネルとを相互に接合するに際し、前記パネルの大きさを、前記構造材間の間隔よりも小さく設定しておき、それら構造材とパネルとを、それらの間に差し渡して固定する繋ぎ材を用いて接合する方法としたから、構造材に対するパネルの接合作業がきわめて良好で、しかも、軸組みやパネル製作上の通常の寸法誤差を吸収して、隙間が生じないように精度良く接合することができる。
【図面の簡単な説明】
【図１】この発明の実施例を示す正面図である。
【図２】この発明の実施例を示す一部断面側面図である。
【図３】この発明の実施例を示す一部断面平面図である。
【図４】この発明の他の実施例を示す要部の横断面図である。
【図５】この発明の他の実施例を示す要部の縦断面図である。
【図６】この発明の実施例を示す要部の縦断面図である。
【図７】この発明の実施例を示す概略平断面図である。
【符号の説明】
１０    柱
２０    梁
３０    繋ぎ材
３１、３２  板材
３３    受け材
３４    押さえ板
４０、５０  角材
Ｐ１    壁パネル
Ｐ２    床パネル
【図１】
0003594376.tif 000002
【図２】
0003594376.tif 000003
【図３】
0003594376.tif 000004
【図４】
0003594376.tif 000005
【図５】
0003594376.tif 000006
【図６】
0003594376.tif 000007
【図７】
0003594376.tif 000008